(57)【要約】【課題】プロジェクタにどの送信元が画像データを送信しているのかを簡単に分かるようにし、表示画面を見やすくする。【解決手段】ＰＤＡ１に［カレントマスタ表示］ボタンを設け、他のＰＤＡがワイヤレスプロジェクタ２を用いてプレゼンテーションを行っている際に、この［カレントマスタ表示］ボタンをタップすることで、ＰＤＡからワイヤレスプロジェクタ２に対して、カレントマスタのユーザ名を表示させることが可能となる。このユーザ名の表示は所定時間が経過すると自動的にオフになる。【選択図】  図１
2004258284.tif 000002
【特許請求の範囲】
【請求項１】
投影装置を備えたプロジェクタとの無線通信を実行可能な情報処理装置において、
前記プロジェクタの投影装置に投影させるための画像データを格納する画像データ格納部と、
当該情報処理装置の機器識別情報を格納する機器識別情報格納部と、
前記プロジェクタに対して、前記画像データ格納部に格納された画像データを無線通信にて送信する画像送信部と、
前記プロジェクタに対して、前記機器識別情報格納部に格納された当該情報処理装置の機器識別情報を無線通信にて送信する識別情報送信部と、
前記プロジェクタに対して、前記プロジェクタが表示している画像データの送信元である情報処理装置の機器識別情報の表示を要求する識別情報表示要求部とを具備することを特徴とする情報処理装置。
【請求項２】
前記情報処理装置は更に、前記画像データを当該情報処理装置上で表示するための表示部を具備し、前記画像データ格納部に格納される画像データをこの表示部で表示するとともに、前記画像送信部で前記プロジェクタに対して送信することを可能とすることを特徴とする請求項１記載の情報処理装置。
【請求項３】
前記機器識別情報は、当該情報処理装置のユーザ名を含むことを特徴とする請求項１又は２記載の情報処理装置。
【請求項４】
前記情報処理装置は、更に、タブレット入力部を具備し、前記表示部は前記機器識別情報の表示を要求するための入力ボタンを表示し、前記タブレット入力部のうち、前記入力ボタンに対応する部分を指定することで、前記機器識別情報の表示を要求することを特徴とする請求項２記載の情報処理装置。
【請求項５】
投影装置と、
前記投影装置で投影する画像データを無線通信にて受信する画像データ受信部と、
前記無線通信部にて接続可能な外部情報処理装置の識別情報を格納する識別情報格納部と、
前記外部情報処理装置から、前記投影装置で投影する画像データの送信元である外部情報処理装置の機器識別情報を表示する要求を無線通信にて受信する機器識別情報表示要求受信部と、
前記機器識別情報表示要求受信部により、機器識別情報の表示の要求を受けた場合、前記識別情報格納部に格納されており、表示の要求を受けた時点で表示している画像データの送信元である外部情報処理装置の機器識別情報を前記投影装置に投影させる、機器識別情報表示制御部とを具備することを特徴とするプロジェクタ。
【請求項６】
前記機器識別情報表示制御部は、前記機器識別情報の表示の要求を受けた後、所定時間だけ前記機器識別情報を前記投影装置に投影させることを特徴とする請求項５記載のプロジェクタ。
【請求項７】
前記機器識別情報は、当該情報処理装置のユーザ名を含むことを特徴とする請求項５又は６記載のプロジェクタ。
【請求項８】
投影装置を備えたプロジェクタと、このプロジェクタと無線通信可能な情報処理装置とからなる情報処理装置システムにおいて、
前記情報処理装置は、前記プロジェクタの投影装置に投影させるための画像データを格納する画像データ格納部と、当該情報処理装置の機器識別情報を格納する機器識別情報格納部と、前記プロジェクタに対して、前記画像データ格納部に格納された画像データを無線通信にて送信する画像送信部と、前記プロジェクタに対して、前記機器識別情報格納部に格納された当該情報処理装置の機器識別情報を無線通信にて送信する識別情報送信部と、前記プロジェクタに対して、前記プロジェクタが表示している画像データの送信元である情報処理装置の機器識別情報の表示を要求する識別情報表示要求部とを具備し、
前記プロジェクタは、投影装置と、前記投影装置で投影する画像データを無線通信にて受信する画像データ受信部と、前記無線通信部にて接続可能な外部情報処理装置の識別情報を格納する識別情報格納部と、前記外部情報処理装置から、前記投影装置で投影する画像データの送信元である外部情報処理装置の機器識別情報を表示する要求を無線通信にて受信する機器識別情報表示要求受信部と、前記機器識別情報表示要求受信部により、機器識別情報の表示の要求を受けた場合、前記識別情報格納部に格納されており、表示の要求を受けた時点で表示している画像データの送信元である外部情報処理装置の機器識別情報を前記投影装置に投影させる、機器識別情報表示制御部とを具備することを特徴とする情報処理装置システム。
【請求項９】
投影装置を備えたプロジェクタとの無線通信を実行可能な情報処理装置の制御方法において、
前記プロジェクタの投影装置に投影させるための画像データを作成する画像データ作成ステップと、
前記プロジェクタに対して、前記画像データ作成ステップにより作成された画像データを無線通信にて送信する画像送信ステップと、
前記プロジェクタに対して、当該情報処理装置の機器識別情報を無線通信にて送信する識別情報送信ステップと、
前記プロジェクタに対して、前記プロジェクタが表示している画像データの送信元である情報処理装置の機器識別情報の表示を要求する識別情報表示要求ステップとを具備することを特徴とする情報処理装置の制御方法。
【請求項１０】
投影装置を備えたプロジェクタの制御方法であって、
外部情報処理装置から、この外部情報処理装置の機器識別情報を無線通信にて受信する機器識別情報受信ステップと、
前記外部情報処理装置から、前記投影装置で投影する画像データの送信元である外部情報処理装置の機器識別情報を表示する要求を無線通信にて受信する機器識別情報表示要求受信ステップと、
前記機器識別情報表示要求受信ステップにより、機器識別情報の表示の要求を受けた場合、前記機器識別情報受信ステップで受信した機器識別情報を前記投影装置に投影させる投影ステップとを具備することを特徴とするプロジェクタの制御方法。
【発明の詳細な説明】
【０００１】
【発明の属する技術分野】
本発明は例えばＰＤＡ（Ｐｅｒｓｏｎａｌ  Ｄｉｇｉｔａｌ  Ａｓｓｉｓｔａｎｔｓ）のような情報処理装置および同装置で用いられる画像データ送信制御方法に関する。
【０００２】
【従来の技術】
近年、ＰＤＡ、ノートブック型パーソナルコンピュータのような様々な携帯型情報処理装置が開発されている。多くの携帯型情報処理装置は無線通信機能を有しており、他の情報処理装置および各種コンシューマ電子機器に無線接続することができる。
【０００３】
情報処理装置の無線通信機能を用いた応用システムとしては、情報処理装置から無線によって送信される画像データをプロジェクタによって大型スクリーンに表示するという情報表示システムが知られている（例えば、特許文献１参照。）。
【０００４】
この情報表示システムにおいては、情報処理装置の記憶装置に蓄積された画像データが、無線によってプロジェクタに送信される。これにより、各プレゼンテーターは、プロジェクタとの間のケーブル接続を差し替える、等の作業を行うことなく、自身の情報処理装置の画像データを容易にプロジェクタに送信することができる。
【０００５】
また、この情報表示システムにおいては、複数の情報処理装置と表示装置間の無線通信による画像データの送信の際に、現在表示を行っている画像データの送信元がどの情報処理装置であるかを示すことが可能である。
【０００６】
【特許文献１】
特開２００２−２１８４２２０号公報（第２頁、第５頁、図１、図３）
【０００７】
【発明が解決しようとする課題】
しかし、複数人がそれぞれ自身の情報処理装置の画像をプロジェクタのスクリーンに表示しながら会議を行うような状況においては、現在プロジェクタのスクリーンに表示されている画像データの送信元となる情報処理装置が、どの情報処理装置なのか分かりにくくなってしまう。
【０００８】
仮に上述の特許文献２を使用した場合、画面上に固定的に表示欄を設け、どの情報処理装置が表示を行っているのかを示している。常に表示欄に情報処理装置の識別情報を表示しているので、どの情報処理装置が表示を行っているのかが一目で分かる。しかし、どの情報処理装置が表示を行っているのかをユーザが常に知りたいとは限らない。その場合、画面上に不要の情報の表示が続けられることになってしまう。
【０００９】
本発明は上述の事情を考慮してなされたものであり、プロジェクタにどの送信元が画像データを送信しているのかを簡単に分かるようにし、表示画面の見やすさにも配慮した、情報処理装置、プロジェクタ、情報処理装置システム及び制御方法を提供することを目的とする。
【００１０】
【課題を解決するための手段】
上述の課題を解決するため、本発明は、投影装置を備えたプロジェクタとの無線通信を実行可能な情報処理装置において、前記プロジェクタの投影装置に投影させるための画像データを格納する画像データ格納部と、当該情報処理装置の機器識別情報を格納する機器識別情報格納部と、前記プロジェクタに対して、前記画像データ格納部に格納された画像データを無線通信にて送信する画像送信部と、前記プロジェクタに対して、前記機器識別情報格納部に格納された当該情報処理装置の機器識別情報を無線通信にて送信する識別情報送信部と、前記プロジェクタに対して、前記プロジェクタが表示している画像データの送信元である情報処理装置の機器識別情報の表示を要求する識別情報表示要求部とを具備することを特徴とする。
【００１１】
この発明によれば、プロジェクタにどの送信元が画像データを送信しているのかを簡単に分かるようにし、表示画面を見やすくすることができる。
【００１２】
また、本発明は、プロジェクタであって、投影装置と、前記投影装置で投影する画像データを無線通信にて受信する画像データ受信部と、前記無線通信部にて接続可能な外部情報処理装置の識別情報を格納する識別情報格納部と、前記外部情報処理装置から、前記投影装置で投影する画像データの送信元である外部情報処理装置の機器識別情報を表示する要求を無線通信にて受信する機器識別情報表示要求受信部と、前記機器識別情報表示要求受信部により、機器識別情報の表示の要求を受けた場合、前記識別情報格納部に格納されており、表示の要求を受けた時点で表示している画像データの送信元である外部情報処理装置の機器識別情報を前記投影装置に投影させる、機器識別情報表示制御部とを具備することを特徴とする
この発明によれば、プロジェクタにどの送信元が画像データを送信しているのかを簡単に分かるようにし、表示画面を見やすくすることができる。
【００１３】
また、本発明は、投影装置を備えたプロジェクタと、このプロジェクタと無線通信可能な情報処理装置とからなる情報処理装置システムであって、前記情報処理装置は、前記プロジェクタの投影装置に投影させるための画像データを格納する画像データ格納部と、当該情報処理装置の機器識別情報を格納する機器識別情報格納部と、前記プロジェクタに対して、前記画像データ格納部に格納された画像データを無線通信にて送信する画像送信部と、前記プロジェクタに対して、前記機器識別情報格納部に格納された当該情報処理装置の機器識別情報を無線通信にて送信する識別情報送信部と、前記プロジェクタに対して、前記プロジェクタが表示している画像データの送信元である情報処理装置の機器識別情報の表示を要求する識別情報表示要求部とを具備し、前記プロジェクタは、投影装置と、前記投影装置で投影する画像データを無線通信にて受信する画像データ受信部と、前記無線通信部にて接続可能な外部情報処理装置の識別情報を格納する識別情報格納部と、前記外部情報処理装置から、前記投影装置で投影する画像データの送信元である外部情報処理装置の機器識別情報を表示する要求を無線通信にて受信する機器識別情報表示要求受信部と、前記機器識別情報表示要求受信部により、機器識別情報の表示の要求を受けた場合、前記識別情報格納部に格納されており、表示の要求を受けた時点で表示している画像データの送信元である外部情報処理装置の機器識別情報を前記投影装置に投影させる、機器識別情報表示制御部とを具備することを特徴とする。
【００１４】
この発明によれば、プロジェクタにどの送信元が画像データを送信しているのかを簡単に分かるようにし、表示画面を見やすくすることができる。
【００１５】
また、本発明は、投影装置を備えたプロジェクタとの無線通信を実行可能な情報処理装置の制御方法であって、前記プロジェクタの投影装置に投影させるための画像データを作成する画像データ作成ステップと、前記プロジェクタに対して、前記画像データ作成ステップにより作成された画像データを無線通信にて送信する画像送信ステップと、前記プロジェクタに対して、当該情報処理装置の機器識別情報を無線通信にて送信する識別情報送信ステップと、前記プロジェクタに対して、前記プロジェクタが表示している画像データの送信元である情報処理装置の機器識別情報の表示を要求する識別情報表示要求ステップとを具備することを特徴とする。
【００１６】
この発明によれば、プロジェクタにどの送信元が画像データを送信しているのかを簡単に分かるようにし、表示画面を見やすくすることができる。
【００１７】
また、本発明は、投影装置を備えたプロジェクタの制御方法であって、外部情報処理装置から、この外部情報処理装置の機器識別情報を無線通信にて受信する機器識別情報受信ステップと、前記外部情報処理装置から、前記投影装置で投影する画像データの送信元である外部情報処理装置の機器識別情報を表示する要求を無線通信にて受信する機器識別情報表示要求受信ステップと、前記機器識別情報表示要求受信ステップにより、機器識別情報の表示の要求を受けた場合、前記機器識別情報受信ステップで受信した機器識別情報を前記投影装置に投影させる投影ステップとを具備することを特徴とする。
【００１８】
この発明によれば、プロジェクタにどの送信元が画像データを送信しているのかを簡単に分かるようにし、表示画面を見やすくすることができる。
【００１９】
【発明の実施の形態】
以下、図面を参照して本発明の実施形態を説明する。
【００２０】
図１には、本発明の一実施形態に係る情報処理装置が示されている。この情報処理装置はＰＤＡとして実現されている。このＰＤＡ１は、移動端末として機能する携帯型情報処理装置である。ＰＤＡ１は無線ＬＡＮデバイス１３を備えている。無線ＬＡＮデバイス１３は、例えばＩＥＥＥ８０２．１１ａ／ＩＥＥＥ８０２．１１ｂ規格に従って、無線通信を実行するように構成された無線通信デバイスである。以下、ＰＤＡ１に設けられた無線プレゼンテーション機能について説明する。
【００２１】
無線プレゼンテーション機能は、画像データをワイヤレスプロジェクタ２に無線によって送信することによって、その画像データをワイヤレスプロジェクタ２の投影スクリーン上に表示する機能である。画像データとしては、例えばＰＤＡ１の表示装置に表示される画面イメージデータ、またはプレゼンテーションプログラム１２によって生成されるスライドデータなどが用いられる。以下では、プレゼンテーションプログラム１２によって生成されるスライドデータをワイヤレスプロジェクタ２に送信する場合を想定する。
【００２２】
プレゼンテーションプログラム１２はスライドショーを実行するアプリケーションプログラムであり、ＶＧＡ（６４０×４８０）サイズの画面イメージデータをスライドデータとして生成することが出来る。生成されたスライドデータは、ディスプレイドライバ１４を介してビデオメモリ（ＶＲＡＭ）１５に描画される。以下、ＶＧＡ（６４０×４８０）サイズのスライドデータをＶＧＡスライドデータと称することとする。
【００２３】
ＶＧＡスライドデータをＰＤＡ１の表示装置に表示する際には、ＶＧＡスライドデータはＰＤＡ１の表示装置の表示解像度に対応する画面イメージデータに変換される。表示装置の表示解像度は、ＶＧＡ（６４０×４８０）の１／４の解像度であるＱＶＧＡ（３２０×２４０）である。よって、ＶＧＡスライドデータを構成する画面イメージは１／４に縮小された後に表示装置に表示される。
【００２４】
上述の無線プレゼンテーション機能は、ＰＤＡ１とワイヤレスプロジェクタ２との間の無線通信を利用して実現される。ワイヤレスプロジェクタ２は、無線ＬＡＮデバイス２１を備えている。無線ＬＡＮデバイス２１は、例えばＩＥＥＥ８０２．１１ａ／ＩＥＥＥ８０２．１１ｂ規格に従って、無線通信を実行するように構成された無線通信デバイスである。
【００２５】
ＰＤＡ１には、コマンド入力インタフェース１０を備え、ワイヤレスユーティリティプログラム１１が予めインストールされている。コマンド入力インタフェースは、後述するタブレット１１２に様々なボタンを表示する他、表示されたボタンをユーザがタップするのを検知して対応するコマンドを各種ユーティリティプログラムに通知するためのインタフェースである。ワイヤレスユーティリティプログラム１１は無線プレゼンテーションを制御するためのプログラムである。
このワイヤレスユーティリティプログラム１１は、プレゼンテーションプログラム１２がディスプレイドライバ１４を介してビデオメモリ（ＶＲＡＭ）１５に描画したＶＧＡスライドデータをキャプチャし、そしてそのキャプチャしたＶＧＡスライドデータを無線ＬＡＮデバイス１３を用いてワイヤレスプロジェクタ２に無線信号によって送信する。
【００２６】
この際、ＶＲＡＭ１５に描画されるＶＧＡスライドデータが更新されたとき、その更新されたＶＧＡスライドデータがＰＤＡ１からワイヤレスプロジェクタ２に送信される。更新されたＶＧＡスライドデータはワイヤレスユーティリティプログラム１１によって圧縮符号化された後に、無線ＬＡＮデバイス１３に送信される。
【００２７】
ワイヤレスプロジェクタ２は、ＶＧＡスライドデータを受信し、その受信したＶＧＡスライドデータに対応する光学像を投影用の大型スクリーンに投影する。
ワイヤレスプロジェクタ２においては、受信されたＶＧＡスライドデータは復号された後にフレームバッファ（図示せず）に書き込まれる。フレームバッファに格納されたＶＧＡスライドデータに対応する光学像が投影用の大型スクリーンに投影される。
【００２８】
次に、図２を参照して、ＰＤＡ１のシステム構成を説明する。ＰＤＡ１は、上述の無線ＬＡＮデバイス１３およびＶＲＡＭ１５に加え、図示のように、ＣＰＵ１０１、システムコントローラ１０２、メモリ１０３、グラフィックスコントローラ１０４、タブレットコントローラ１０５、Ｉ／Ｏコントローラ１０６、メモリカード１０７、操作ボタン群１０８、ＬＣＤ１１１、およびタブレット１１２などを備えている。
【００２９】
ＣＰＵ１０１は本ＰＤＡ１の動作を制御するために設けられたプロセッサであり、オペレーティングシステム（ＯＳ）および各種アプリケーションプログラム／ユーティリティプログラムを実行する。オペレーティングシステム（ＯＳ）は、ペン入力操作を実現するためのタブレット制御機能を有している。
【００３０】
メモリ１０３は、オペレーティングシステム（ＯＳ）および各種アプリケーションプログラム／ユーティリティプログラムが格納された不揮発性メモリと、主メモリとして使用されるＲＡＭとを備えている。不揮発性メモリには、上述のワイヤレスユーティリティプログラム１１およびプレゼンテーションプログラム１２も格納されている。
【００３１】
システムコントローラ１０２は、ＣＰＵ１０１のローカルバスとシステムバス１００との間を接続するブリッジデバイスである。システムコントローラ１０２は、メモリ１０３を制御するメモリコントローラ（図示せず）も内蔵している。
グラフィックスコントローラ１０４は、ＰＤＡ１の表示装置として使用されるＬＣＤ１１１を制御し、ＶＲＡＭ１５に描画された画面イメージデータをＬＣＤ１１１に表示する。ＬＣＤ１１１の表示解像度は、上述したように、ＶＧＡ（６４０×４８０）の１／４の解像度であるＱＶＧＡ（３２０×２４０）である。
【００３２】
ＶＲＡＭ１５は、オンスクリーンエリアとオフスクリーンエリアとを有している。オンスクリーンエリアはＬＣＤ１１１に表示されるＱＶＧＡ（３２０×２４０）サイズの画面イメージデータを格納する記憶領域であり、フレームバッファとして使用される。グラフィックスコントローラ１０４は、オンスクリーンエリアから画面イメージデータを順次読み出し、それをＬＣＤ１１１に表示する。
【００３３】
タブレットコントローラ１０５は、タブレット１１２を制御する。タブレット１１２は、ＬＣＤ１１１の表示面上に設けられた透明の座標検出装置から構成されている。ＬＣＤ１１１とタブレット１１２とにより、ペン入力操作可能なタッチスクリーンが構成される。
【００３４】
Ｉ／Ｏコントローラ１０６は、ＰＤＡ１に取り外し自在に装着されるメモリカード１０７の制御、および操作ボタン群１０８の制御を行う。操作ボタン群１０８は、例えば、パワーボタン、特定のアプリケーションを起動するためのアプリケーションボタン、カーソルキー、などの複数の操作ボタンから構成されている。
【００３５】
次に、図３を参照して、ＶＧＡスライドデータをＰＤＡ１からワイヤレスプロジェクタ２に送信する処理について説明する。ここでは、ＱＶＧＡスライドデータをＬＣＤ１１１に表示しながら、ＶＧＡスライドデータをワイヤレスプロジェクタ２に送信する場合を想定する。
【００３６】
プレゼンテーションプログラム１２は、複数のスライドデータを順番にＬＣＤ１１１に表示するためのスライドショーを実行する。スライドショーにおいては、プレゼンテーションプログラム１２は、ＶＧＡスライドデータを生成し、そのＶＧＡスライドデータをディスプレイドライバ１４を介してＶＲＡＭ１５のオフスクリーンエリア１５１に描画する。このＶＧＡスライドデータを構成する画面イメージデータから、ＬＣＤ１１１に実際に表示されるＱＶＧＡスライドデータが生成される。この場合、ＶＧＡスライドデータを構成する画面イメージデータのサイズを１／４に縮小する処理（スケーリング処理）が実行され、１／４に縮小された画面イメージデータがＱＶＧＡスライドデータとしてＶＲＡＭ１５のオンスクリーンエリア１５２に描画される。
【００３７】
スケーリング処理は、オンスクリーンエリア１５２の画面イメージを管理するオペレーティングシステムによって実行される。もちろん、グラフィックスコントローラ１０４が、オペレーティングシステムの制御の下に、スケーリング処理を実行してもよい。
【００３８】
グラフィックスコントローラ１０４は、オンスクリーンエリア１５２からＱＶＧＡスライドデータを読み出し、それをＬＣＤ１１１に表示する。ワイヤレスユーティリティプログラム１１は、ＱＶＧＡスライドデータではなく、プレゼンテーションプログラム１２によって生成されたＶＧＡスライドデータをディスプレイドライバ１４を介してオフスクリーンエリア１５１から読み出し、それを無線ＬＡＮデバイス１３に送信データとして供給する。
【００３９】
以上の処理により、ＱＶＧＡスライドデータをＬＣＤ１１１に表示しながら、そのＱＶＧＡスライドデータの生成に使用されたオリジナルのＶＧＡスライドデータをワイヤレスプロジェクタ２に送信することが可能となる。ＶＧＡスライドデータをワイヤレスプロジェクタ２に送信することにより、ＱＶＧＡスライドデータをワイヤレスプロジェクタ２に送信するよりも、高画質のスライドデータをワイヤレスプロジェクタ２のスクリーンに表示することができる。
【００４０】
ＶＧＡスライドデータをワイヤレスプロジェクタ２に送信する処理は、プレゼンテーションプログラム１２によって新たなＶＧＡスライドデータが生成される度に実行される。すなわち、ワイヤレスユーティリティプログラム１１は、ＰＤＡ１がワイヤレスプロジェクタ２に無線接続されている期間中、ＶＧＡスライドデータの更新の有無を監視し、ＶＧＡスライドデータの更新が検出された時にその更新されたＶＧＡスライドデータをワイヤレスプロジェクタ２に送信する。
【００４１】
次に、ワイヤレスユーティリティプログラム１１によって提供される無線プレゼンテーション機能の詳細について説明する。
【００４２】
図４は、ワイヤレスユーティリティプログラム１１によってＰＤＡ１のＬＣＤ１１１に表示されるワイヤレスユーティリティウィンドウ３０１を示している。
ユーザによってワイヤレスユーティリティプログラム１１が起動された時、図３のワイヤレスユーティリティウィンドウ３０１がＬＣＤ１１１の画面上に表示される。
【００４３】
ワイヤレスユーティリティウィンドウ３０１には、図示のように、送信インジケータ３０２、［ＧＯ］ボタン３０３、［ＳＴＯＰ］ボタン３０４、［ウェイティングリスト表示］ボタン３０５、プロジェクタリスト３０６、［カレントマスタ表示］ボタン３０７が配置されている。
【００４４】
送信インジケータ３０２は、ＰＤＡ１とワイヤレスプロジェクタ２との間の通信の状態を示す。［ＧＯ］ボタン３０３は、ＰＤＡ１からワイヤレスプロジェクタ２にスライドデータを自動送信するための無線プレゼンテーション機能の開始を指示するためのボタンである。［ＧＯ］ボタン３０３がユーザのペン操作によってタップ（クリック）された時、無線プレゼンテーション機能が開始される。
［ＳＴＯＰ］ボタン３０４は無線プレゼンテーション機能の停止を指示するためのボタンである。
【００４５】
プロジェクタリスト３０６は、ＰＤＡ１から送信される無線信号が届く範囲内に存在するワイヤレスプロジェクタの一覧を表示する。すなわち、ワイヤレスユーティリティプログラム１１によって検出されたワイヤレスプロジェクタそれぞれに対応する機器識別情報（例えば、ＭＡＣアドレス）の一覧がプロジェクタリスト３０６に表示される。
【００４６】
プロジェクタリスト３０６においては、各ワイヤレスプロジェクタの機器識別情報毎に、チェックボックスが表示される。ユーザは、チェックボックスをタップすることにより、スライドデータを送信すべき相手先プロジェクタを選択することができる。例えば隣接する複数の会議室それぞれにワイヤレスプロジェクタが設置されている環境においては、ＰＤＡ１はそれら複数のプロジェクタそれぞれと通信することができる。プロジェクタリスト３０６によってユーザに相手先プロジェクタを選択させることにより、スライドデータがユーザの意図しないプロジェクタに誤って送信されてしまうことを未然に防止することができる。相手先プロジェクタがユーザによって選択されるまでは、ワイヤレスユーティリティウィンドウ３０１上には［ＧＯ］ボタン３０３は表示されない。
【００４７】
［ウェイティングリスト表示］ボタン３０５は、画像データの送信が許可されるのを待っている他のＰＤＡの一覧（ウェイティングリスト）を表示するためのボタンである。
【００４８】
［カレントマスタ表示］ボタン３０７は、現在ワイヤレスプロジェクタ２により表示されている画像の送信元となるＰＤＡ（以下、カレントマスタと称する）の識別情報を画面上に表示するためのボタンである。
【００４９】
［ＧＯ］ボタン３０３がユーザによってタップされた時、ワイヤレスユーティリティウィンドウ３０１は、最小化され、そして図５に示すようにコマンドバー４０３にアイコン４０３として格納される。同時に、プレゼンテーションプログラムが起動され、そのプレゼンテーションプログラムの操作ウィンドウ４０１がＬＣＤ１１１に表示される。ユーザは、プレゼンテーションプログラムの操作ウィンドウ４０１上の［ＶＩＥＷ］ボタン４１１をタップすることにより、スライドショーの実行をプレゼンテーションプログラムに指示することができる。
【００５０】
アイコン４０３がユーザによってタップされたならば、ワイヤレスユーティリティウィンドウ３０１が再び表示される。［ＳＴＯＰ］ボタン３０４がタップされると、無線プレゼンテーション機能の実行は停止される。
【００５１】
次に、図６のフローチャートを参照して、ワイヤレスユーティリティプログラム１１によって実行される無線プレゼンテーション処理の手順について説明する。ユーザがワイヤレスユーティリティプログラム１１を起動した時、ワイヤレスユーティリティプログラム１１は、ワイヤレスユーティリティウィンドウ３０１を表示した後、ＰＤＡ１の周囲に存在するワイヤレスプロジェクタを検出するため、デバイスディスカバリーコマンドを送出する（ステップＳ１０１）。これにより、ＰＤＡ１と通信可能なデバイスを検出のための機器発見処理（デバイスディスカバリー処理）が実行される。つまり、ワイヤレスユーティリティプログラム１１は、無線ＬＡＮデバイス１３を用いて機器発見のためのデバイスディスカバリーコマンドをブロードキャストし、そのデバイスディスカバリーコマンドに対する応答を待つ。
【００５２】
ＰＤＡ１の周囲にあって、デバイスディスカバリーコマンドを受信した各ワイヤレスプロジェクタ２は、自身の無線ＬＡＮデバイス２１に割り当てられたＭＡＣアドレスと自身のデバイスタイプ（＝プロジェクタ）を示す識別子を含む応答をＰＤＡ１に返す。この応答により、ワイヤレスユーティリティプログラム１１は、ＰＤＡ１から送信される無線信号が届く範囲内に存在する各ワイヤレスプロジェクタを検出することが出来る。同様に、ワイヤレスプロジェクタ２の側でも、デバイスディスカバリーコマンドを受信することで、ＰＤＡ１の側にある無線ＬＡＮデバイス１３に割り当てられたＭＡＣアドレスや、ＰＤＡ１のユーザ名といった機器識別情報を認識し、ワイヤレスプロジェクタ２内のメモリに格納する。
【００５３】
この格納の様子を図７に示す。この図７の例では、ワイヤレスプロジェクタ２の周囲に、ＰＤＡが２台存在し、それぞれ、ＭＡＣアドレス「１２：３４：５６：７８：９８：７６」、ユーザ名「ＹＡＭＡＤＡ」というＰＤＡと、ＭＡＣアドレス「００：１２：３４：５６：７８：９９」、ユーザ名「ＳＵＺＵＫＩ」というＰＤＡがある状態を示している。
【００５４】
周囲の機器からの応答を受けて、ＰＤＡ１のワイヤレスユーティリティプログラム１１は、検出されたワイヤレスプロジェクタの一覧をプロジェクタリスト３０６上に表示する（ステップＳ１０２）。ユーザはプロジェクタリスト３０６上のあるワイヤレスプロジェクタがユーザによって選択する（ステップＳ１０３）。この選択を受けて、ワイヤレスユーティリティプログラム１１は、ワイヤレスユーティリティウィンドウ３０１に［ＧＯ］ボタン３０３を表示する。
【００５５】
［ＧＯ］ボタン３０３がユーザによってタップされた時（ステップＳ１０５）、ワイヤレスユーティリティプログラム１１は、プロジェクタリスト３０６から選択されたワイヤレスプロジェクタ２に接続要求を画像データ送信要求として送信して、その選択されたワイヤレスプロジェクタ２との無線接続を確立する（ステップＳ１０６）。このステップＳ１０６においては、ＰＤＡ１と選択されたワイヤレスプロジェクタ２との間の物理無線リンクの確立のみならず、その間のセッションも確立される。
【００５６】
ワイヤレスプロジェクタ２との無線接続が確立された後、ワイヤレスユーティリティプログラム１１は、ワイヤレスユーティリティウィンドウ３０１を最小化する（ステップＳ１０７）。続いて、ワイヤレスユーティリティプログラムはプレゼンテーションプログラム１２を起動する（ステップＳ１０８）。起動されたプレゼンテーションプログラム１２は、ＶＧＡスライドデータをＶＲＡＭ１５のオフスクリーンエリアに順次描画するスライドショー（ＶＧＡスライドショー）を実施する（ステップＳ１０９）。
【００５７】
次に、図８を参照して、２台のＰＤＡ（ＰＤＡ＃１，ＰＤＡ＃２）とワイヤレスプロジェクタ２との間で行われる通信について説明する。
【００５８】
ここでは、ＰＤＡ＃１が無線プレゼンテーション機能を実行している最中に、ＰＤＡ＃２を使用するユーザが、現在プレゼンテーション機能を実行して画像データをワイヤレスプロジェクタ２に表示させているＰＤＡがどれかを知るために、ＰＤＡ＃２の［カレントマスタ表示］ボタンをタップして、ワイヤレスプロジェクタ２に使用機器の表示要求を送信した、という場合を例に説明する。
【００５９】
まず、ＰＤＡ＃１、ＰＤＡ＃２とワイヤレスプロジェクタ２との間で、すでにデバイスディスカバリーコマンドによりＭＡＣアドレスやユーザ名といった機器識別情報の授受が行われている（図８中、「接続処理」に対応）。
【００６０】
ＰＤＡ＃１のユーザがＬＣＤ１１１に表示される［ＧＯ］ボタン３０３をタップした時（ステップＳ２０１）、図６で説明したように、ＰＤＡ＃１は、接続要求を画像データ送信要求としてワイヤレスプロジェクタ２に送信する。ワイヤレスプロジェクタ２に画像データを送信中のデバイスが存在しないならば、ワイヤレスプロジェクタ２からＰＤＡ１に接続許可が通知され、ＰＤＡ１とワイヤレスプロジェクタ２との間の無線接続が確立される（図８中、「接続確立」に対応）。
【００６１】
続いて、ＰＤＡ＃１のプレゼンテーションプログラム１２が起動され、このプレゼンテーションプログラム１２はスライドショーを開始する（ステップＳ２０２）。ＰＤＡ１のワイヤレスユーティリティプログラム１１は、プレゼンテーションプログラム１２が新たなＶＧＡスライドデータをＶＲＡＭ１５に書き込む度に、そのＶＧＡスライドデータを自動的にワイヤレスプロジェクタ２に無線によって送信する（図８中、「スライドデータ＃１」、「スライドデータ＃２」・・・に対応）。
【００６２】
ここで、スライドショーの途中で、ＰＤＡ＃２のユーザが、現在スライドショーを実行しているＰＤＡがどのＰＤＡであるかを知りたい場合、ＰＤＡ＃２のユーザは、ＰＤＡ＃２の上の［カレントマスタ表示］ボタンをタップする（ステップＳ２０３）。
【００６３】
ＰＤＡ＃２は、［カレントマスタ表示］ボタンのタップに応答して、表示要求のコマンドをワイヤレスプロジェクタ２に送信する。ＰＤＡ＃１がワイヤレスプロジェクタ２に画像データを送信している最中であるが、ワイヤレスプロジェクタ２はスライドデータの表示と並行して、この表示要求のコマンドを受信する（図８中、「表示要求」に対応）
ワイヤレスプロジェクタ２は、この表示要求のコマンドを受けて、現在スライドショーを実施しているＰＤＡ＃１に対応するユーザ名情報をメモリから読み出し、カレントマスタとして、現在表示しているスライドデータ上にオーバーラップさせて表示する（ステップＳ２０４）。図７の例に基づくと、この場合、「ＹＡＭＡＤＡ」というユーザ名がスライドデータ上に表示される。
【００６４】
この画面表示の例を図９に示す。図９はワイヤレスプロジェクタ２から投影された画面の例を示している。投影されたプレゼンテーション画面５０１の右上隅の領域５０２に、ユーザ名である「ＹＡＭＡＤＡ」の文字を表示している。このデータはメモリ内のユーザ名情報に基づき、テキストデータを表示すればよい。
【００６５】
このようにプレゼンテーション画面に重なるように表示を行うことで、ユーザ名の表示専用欄を別に設ける必要が無くなり、プレゼンテーション画面を広くとることが可能となる。
【００６６】
ワイヤレスプロジェクタ２は、この表示を開始してから、所定時間だけユーザ名を表示させることができる。例えば、ユーザ名の表示が長く行われると、肝心のプレゼンテーションのスライド表示等が見づらくなる場合が生じ得る。このため、［カレントマスタ表示］ボタンをタップしたユーザが、カレントマスタのユーザ名を確認できるだけの時間（例えば５秒）、表示を行うようにする（以下、「表示時間」と称する）。このため、ワイヤレスプロジェクタ２は、カレントマスタ表示オンの後、時間の計測を始め、この表示時間を経過したかどうかを判別する（ステップＳ２０５）。表示時間が経過するまでは、カレントマスタの表示を続ける（ステップＳ２０５のＮｏからステップＳ２０５のループ）。
【００６７】
表示時間が経過した場合、カレントマスタ表示をオフにする（ステップＳ２０５のＹｅｓからステップＳ２０６）。このカレントマスタ表示は、スライドデータの表示と並行して行われるため、ＰＤＡ＃１からのスライドデータの受信が引き続き可能である。
【００６８】
また、ＰＤＡがＰＤＡ＃１、ＰＤＡ＃２、ＰＤＡ＃３・・・と３台以上あった場合も同様に、カレントマスタ以外のＰＤＡで［カレントマスタ表示］ボタンをタップすることでカレントマスタのユーザ名を表示させることが可能となる。
【００６９】
また、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００７０】
【発明の効果】
以上のように、本発明によれば、プロジェクタにどの送信元が画像データを送信しているのかを簡単に分かるようにし、表示画面を見やすくすることができる。
【図面の簡単な説明】
【図１】本発明の一実施形態に係る情報処理装置の機能を説明するためのブロック図。
【図２】図１の情報処理装置のシステム構成を示すブロック図。
【図３】図１の情報処理装置によって実行されるスライドデータ送信処理を説明するための図。
【図４】図１の情報処理装置の表示装置に表示されるワイヤレスユーティリティウィンドウの例を示す図。
【図５】図４のワイヤレスユーティリティウィンドウを最小化した状態を示す図。
【図６】図１の情報処理装置によって実行されるワイヤレスプレゼンテーション処理の手順を示すフローチャート図。
【図７】ワイヤレスプロジェクタ２が格納する、各ＰＤＡのＭＡＣアドレスと対応ユーザ名の格納状態の例を示す図。
【図８】図１の情報処理装置やワイヤレスプロジェクタ２とによって実行されるワイヤレスプレゼンテーション及び、カレントマスタ表示処理について示すフローチャート図。
【図９】カレントマスタ表示要求を受けた際のワイヤレスプロジェクタ２の表示画面例を示す図。
【符号の説明】
１…ＰＤＡ、２…ワイヤレスプロジェクタ、１０…コマンド入力インタフェース、１１…ワイヤレスユーティリティプログラム、１２…プレゼンテーションプログラム、１３…無線ＬＡＮデバイス、１４…ディスプレイドライバ、１５…ＶＲＡＭ、２１…無線ＬＡＮデバイス、１０１…ＣＰＵ、１０２…システムコントローラ、１０３…メモリ、１０４…グラフィックスコントローラ、１０５…タブレットコントローラ、１０６…Ｉ／Ｏコントローラ、１０７…メモリカード、１０８…操作ボタン、３０３…［ＧＯ］ボタン、３０６…プロジェクタリスト、３０７…［カレントマスタ表示］ボタン
【図１】
2004258284.tif 000003
【図２】
2004258284.tif 000004
【図３】
2004258284.tif 000005
【図４】
2004258284.tif 000006
【図５】
2004258284.tif 000007
【図６】
2004258284.tif 000008
【図７】
2004258284.tif 000009
【図８】
2004258284.tif 000010
【図９】
2004258284.tif 000011